(57)【要約】【課題】  従来は、加工部品の中間及び仕上げ等の処理を行う洗浄装置においては、洗浄後の水を略完全に取除く必要がある。この際、通常は搬送コンベヤより人手及び／又はロボット等を利用して加工部品を一旦離間し、この離間した際に反転等の方法を利用して行っている。よって、この方法は非能率であり、また人手を要すること、又は連続処理を意図する流れ作業において、途中で作業がストップするので問題となる。【構成】  本発明は、対の搬送コンベヤを、フレームに設けた駆動側搬送コンベヤと、前記フレームに反転・復帰可能に設けた従動側搬送コンベヤとで構成し、駆動側搬送コンベヤに駆動部を設け、また駆動側・従動側搬送コンベヤ間に伝動手段を設け、また従動側搬送コンベヤに反転・復帰操作部を設ける反転式の搬送コンベヤである。【選択図】      図１
2005263337.tif 000002
【特許請求の範囲】
【請求項１】
フレームに設けた駆動側搬送コンベヤと、このフレームに反転・復帰可能に設けた従動側搬送コンベヤとで構成した対の搬送コンベヤであって、
この対の搬送コンベヤの駆動側搬送コンベヤに駆動部を設け、またこの駆動側・従動側搬送コンベヤ間に伝動手段を設け、この従動側搬送コンベヤに反転・復帰操作部を設けた構成であり、
前記駆動部の駆動を、前記伝動手段を介して前記駆動側搬送コンベヤから前記従動側搬送コンベヤに伝達可能とするとともに、この従動側搬送コンベヤを、この駆動側搬送コンベヤに対して反転・復帰可能な構成とした反転式の搬送コンベヤ。
【請求項２】
請求項１に記載の従動側搬送コンベヤは、その一方側を前記伝動手段で支持し、またその他方側を前記フレームに設けた軸受けに軸支する構成とした反転式の搬送コンベヤ。
【請求項３】
請求項１に記載の伝動手段は、前記駆動側搬送コンベヤに軸支した駆動側傘歯車と、この駆動側傘歯車に囓合する従動側傘歯車と、この従動側傘歯車に設けた前記フレームに軸支した伝動軸と、この伝動軸に設けた伝達側傘歯車と、この伝達側傘歯車に囓合する前記従動側搬送コンベヤに軸支した従動側傘歯車とによる構成とした反転式の搬送コンベヤ。
【請求項４】
請求項１に記載の駆動側搬送コンベヤ及び／又は従動側搬送コンベヤを、チェーンコンベヤで構成し、このチェーンコンベヤは、トップローラ付きのチェーンを採用する構成とした反転式の搬送コンベヤ。
【発明の詳細な説明】
【技術分野】
【０００１】
本発明は、洗浄装置（機械加工、食器、野菜等の各種の洗浄）、加工装置、又は搬送装置等に使用される反転式の搬送コンベヤに関する。
【背景技術】
【０００２】
従来、加工部品の中間及び仕上げ等の処理を行う洗浄装置においては、洗浄後の水、液体等の洗浄水を略完全に取除く必要がある。この際、通常は搬送コンベヤより人手及び／又はロボット等を利用してこの加工部品及び／又はケース等を一旦離間し、この離間した際に反転等の方法を利用して処理している。しかし、この方法は非能率であり、また人手を要すること、又は連続処理を意図する流れ作業において、途中で作業がストップすることになり問題となること等の改良すべき点が考えられる。尚、以上の説明は、加工部品の処理装置として洗浄装置で説明した。しかし、加工部品の処理装置である限り、例えば、他の加工装置でも同じであるので、以下その代表例として、洗浄装置に関して説明する。
【０００３】
文献による反転装置としては、文献（１）として、特開２００３−２４６４２９の「振動コンベヤ」がある。この概要は、搬送用函体と、振動駆動部と、搬送機枠体とより構成し、この搬送用函体と搬送機枠体との締結部に着脱金具を設ける構成であり、通常、被搬送物を搬送するときには、搬送用函体と振動駆動部と搬送機枠体を一体に形成し、また搬送用函体を清潔に保つ為に、搬送用函体を清掃及び洗浄するときには、この搬送用函体を清掃、洗浄 、乾燥しやすくするため、この搬送用函体を反転・着脱可能とした構造である。また文献（２）として、特開２０００−３７３３６「洗浄機におけるトレー反転装置」がある。その概要は、対の上部・下部スクリューと、この上部スクリューの移送速度が下部スクリューの移送速度よりも速くなる構成とし、また当該対の上部・下部スクリュー用の駆動手段とを備え、さらにこの対の上部・下部スクリューの間隔を略同一に構成し、そして、この対の上部・下部スクリューの間でトレーの両縁を挟込み保持し、当該対の上部・下部スクリュー間に保持されたトレーは、駆動手段によって対の上部・下部スクリューが回転駆動されるとき、この対の上部・下部スクリューの延長方向に移動し、かつ反転状態に姿勢を変えられる構成であるので、構造が簡単であり有益であること、また安価に提供できること等の特徴がある。また洗浄機に使用すれば、食器類を載せたままでトレーを洗浄機に入れる操作を介してトレーと食器類とを区別して洗浄し、保管できる特徴がある。
【０００４】
【特許文献１】特開２００３−２４６４２９
【０００５】
【特許文献２】特開２０００−３７３３６
【発明の開示】
【発明が解決しようとする課題】
【０００６】
前記文献（１）、（２）で説明した発明は、搬送機構（搬送コンベヤ）に組込まれる構造ではあるが、装置そのものは単独に駆動し、また設置される構造である。従って、他の搬送手段（搬送コンベヤ）との連繋、例えば、駆動の伝動による連繋、連続作業（連続処理）等を図るには十分とは云えないのが現況である。
【０００７】
前記の連繋が図れないことから、例えば、装置の複雑化、設置スペースの拡大化等が図れないこと等の問題があり、この問題の解消が望まれている。
【０００８】
またこの文献（１）、（２）において、各装置は、それぞれ個別に駆動する方法を採用するので、省資源化が図れないこと、又は手間を要すること等の問題があり、この問題の解消が望まれている。またこの省資源の問題は、従来技術においても同様であり、その解決が望まれることは勿論である。
【課題を解決するための手段】
【０００９】
請求項１の発明は、洗浄装置において、洗浄済みの加工機械・加工部品等の洗浄水を払拭又は流し落しを効率的に行うこと、また効率的な払拭等を介してスムーズかつ確実な乾燥を図ること、又は加工屑（切り粉）の排除を簡易に行うこと等を意図する。そして、本発明は、駆動側・従動側搬送コンベヤを同時に駆動する機構を採用して、省資源化を図ることを意図する。
【００１０】
請求項１は、フレームに設けた駆動側搬送コンベヤと、このフレームに反転・復帰可能に設けた従動側搬送コンベヤとで構成した対の搬送コンベヤであって、
この対の搬送コンベヤの駆動側搬送コンベヤに駆動部を設け、またこの駆動側・従動側搬送コンベヤ間に伝動手段を設け、この従動側搬送コンベヤに反転・復帰操作部を設けた構成であり、
前記駆動部の駆動を、前記伝動手段を介して前記駆動側搬送コンベヤから前記従動側搬送コンベヤに伝達可能とするとともに、この従動側搬送コンベヤを、この駆動側搬送コンベヤに対して反転・復帰可能な構成とした反転式の搬送コンベヤである。
【００１１】
請求項２の発明は、請求項１の目的を達成し、また従動側搬送コンベヤの機構の簡略化、確実な支持と、動力の伝達を図ること等を意図する。
【００１２】
請求項２は、請求項１に記載の従動側搬送コンベヤであって、その一方側を前記伝動手段で支持し、またその他方側を前記フレームに設けた軸受けに軸支する構成とした反転式の搬送コンベヤである。
【００１３】
請求項３の発明は、請求項１の目的を達成し、また駆動側搬送コンベヤから従動側搬送コンベヤへの動力伝達の確実性と、省資源化と、従動側搬送コンベヤの確実な反転とを図ること等を意図する。
【００１４】
請求項３は、請求項１に記載の伝動手段であって、前記駆動側搬送コンベヤに軸支した駆動側傘歯車と、この駆動側傘歯車に囓合する従動側傘歯車と、この従動側傘歯車に設けた前記フレームに軸支した伝動軸と、この伝動軸に設けた伝達側傘歯車と、この伝達側傘歯車に囓合する前記従動側搬送コンベヤに軸支した従動側傘歯車とによる構成とした反転式の搬送コンベヤである。
【００１５】
請求項４の発明は、請求項１の目的を達成し、また被搬送物を、駆動側・従動側搬送コンベヤ上で確実に搬送可能とすること、また被搬送物のストップ又は適宜の搬送とを自由に選択可能とすること等を意図する。
【００１６】
請求項４は、請求項１に記載の駆動側搬送コンベヤ及び／又は従動側搬送コンベヤを、チェーンコンベヤで構成し、このチェーンコンベヤは、トップローラ付きのチェーンを採用する構成とした反転式の搬送コンベヤである。
【発明の効果】
【００１７】
請求項１の発明は、フレームに設けた駆動側搬送コンベヤと、フレームに反転・復帰可能に設けた従動側搬送コンベヤとで構成した対の搬送コンベヤであって、
対の搬送コンベヤの駆動側搬送コンベヤに駆動部を設け、また駆動側・従動側搬送コンベヤ間に伝動手段を設け、従動側搬送コンベヤに反転・復帰操作部を設けた構成であり、
駆動部の駆動を、伝動手段を介して駆動側搬送コンベヤから従動側搬送コンベヤに伝達可能とするとともに、従動側搬送コンベヤを、駆動側搬送コンベヤに対して反転・復帰可能な構成とした反転式の搬送コンベヤである。
【００１８】
従って、請求項１は、洗浄装置において、洗浄済みの加工機械・加工部品等の洗浄水を払拭又は流し落しを効率的に行うこと、また効率的な払拭等を介してスムーズかつ確実な乾燥を図ること、又は加工屑（切り粉）の排除を簡易に行うこと等を意図する。そして、本発明は、駆動側・従動側搬送コンベヤを同時に駆動する機構を採用して、省資源化を図ることを意図する。
【００１９】
請求項２の発明は、請求項１に記載の従動側搬送コンベヤであって、その一方側を伝動手段で支持し、またその他方側をフレームに設けた軸受けに軸支する構成とした反転式の搬送コンベヤである。
【００２０】
従って、請求項２は、請求項１の目的を達成できること、また従動側搬送コンベヤの機構の簡略化、確実な支持と、動力の伝達が図れること等の特徴がある。
【００２１】
請求項３の発明は、請求項１に記載の伝動手段であって、駆動側搬送コンベヤに軸支した駆動側傘歯車と、駆動側傘歯車に囓合する従動側傘歯車と、従動側傘歯車に設けたフレームに軸支した伝動軸と、伝動軸に設けた被駆動側傘歯車と、被駆動側傘歯車に囓合する従動側搬送コンベヤに軸支した被従動側傘歯車とによる構成とした反転式の搬送コンベヤである。
【００２２】
従って、請求項３は、請求項１の目的を達成できること、また駆動側搬送コンベヤから従動側搬送コンベヤへの動力伝達の確実性と、省資源化と、従動側搬送コンベヤの確実な反転とが図れること等の特徴がある。
【００２３】
請求項４の発明は、請求項１に記載の駆動側搬送コンベヤ及び／又は従動側搬送コンベヤを、チェーンコンベヤで構成し、チェーンコンベヤは、トップローラ付きのチェーンを採用する構成とした反転式の搬送コンベヤである。
【００２４】
従って、請求項４は、請求項１の目的を達成できること、また被搬送物は、駆動側・従動側搬送コンベヤ上を確実に搬送可能になること、また被搬送物のストップ又は適宜の搬送とを自由に選択できること等の特徴がある。
【発明を実施するための最良の形態】
【００２５】
本発明の一例を説明する。
【００２６】
図面は装置の一例であり洗浄機Ａに本発明の反転式の搬送コンベヤを組込んだ一例であり、１は排出管付きの収容箱体２００及び／又は受け皿２０１を備えたベースフレーム２の上に水平方向の調整ができるフレーム３上に設けた駆動側搬送コンベヤであり、この駆動側搬送コンベヤ１は、フレーム３に支持した軸４（４）及び差渡し設けた駆動軸５と、この軸４と駆動軸５にそれぞれ設けたスプロケット６（６）、７（７）と、このスプロケット６、７間に懸架した対のチェーンコンベヤ８、９と、前記駆動軸５に設けた適宜の伝達機構１０（スプロケット、チェーン又はプーリ、ベルト等）と、この伝達機構１０を駆動するモータ等の駆動源１１とで構成されており、この駆動源１１の駆動を介して駆動軸５を回転し、この回転を介してチェーンコンベヤ８、９を所定のスピードで回転駆動する。このチェーンコンベヤ８、９は、図６に示したトップローラ付きのチェーンを採用して、被搬送物の確実な搬送を図ること、また被搬送物の搬送停止及び／又は搬送開始、また被搬送物の自由な搬送を選択可能とすること等を意図する。この駆動側搬送コンベヤ１は、駆動源１１の駆動を介して駆動軸５が回転し、この回転を介して駆動軸５が回転することで、スプロケット６、７が回る。そして、このスプロケット６、７が回ることにより、チェーンコンベヤ８、９が所定のスピードで回転駆動する。このチェーンコンベヤ８、９の回転により、当該駆動側搬送コンベヤ１の駆動が行われる。尚、前記伝達機構１０、駆動源１１等で駆動部を構成する。
【００２７】
また２０は前記駆動側搬送コンベヤ１と後述する伝達手段４０を介して連動されている従動側搬送コンベヤで、この従動側搬送コンベヤ２０は、その一方側を前記伝達手段４０の伝達軸４５に架承し、また他方側を前記ベースフレーム２の上に設けた軸受け台２１の軸受け２２に軸承した軸２３に固止することで、前記ベースフレーム２の上に水平方向の調整ができるフレーム２４上に回転自在に設けられている。そして、この従動側搬送コンベヤ２０は、フレーム２４に差渡し設けた軸２５及び／又は支持した軸２６（２６）と、この軸２５、２６にそれぞれ設けたスプロケット２７（２７）、２８（２８）と、このスプロケット２７、２８間に懸架した対のチェーンコンベヤ２９、３０と、前記軸２３に設けた従動側平歯車３１と、この従動側平歯車３１に螺合する駆動側歯車３２（ラック）と、この駆動側歯車３２を前進後退させるシリンダー３３のピストンロッド３４とで構成されている。
【００２８】
尚、この従動側平歯車３１と、駆動側歯車３２と、シリンダー３３及びピストンロッド３４を反転・復帰操作部とする。そして、この反転・復帰操作部の動作を説明すると、シリンダー３３のピストンロッド３４の前進後退で、駆動側歯車３２を前進後退する。この駆動側歯車３２の前進後退を介して従動側平歯車３１が回転する。この従動側平歯車３１の回転は、軸２３を回転させ、ついで従動側搬送コンベヤ２０が適宜方向に回転（反転）する。尚、駆動側歯車３２と従動側平歯車３１（反転・復帰操作部）は、図示しないリンク機構を採用することもあり得る。この従動側搬送コンベヤ２０の反転を意図して、このベースフレーム２に設けた排出管付きの収容箱体２００ａは下方（収容箱体２００に比し）に設けられる。そして、この反転時に加工部品及び／又はケース等の処理水の排出、又は加工屑等の排出を図る。尚、この反転及び／又は復帰の位置、時間等は、センサー、タイマー等の自動手段を利用して制御する。またこのチェーンコンベヤ２９、３０は、図６に示したトップローラ付きのチェーンを採用することが可能である。
【００２９】
尚、４０は伝達手段であり、この伝達手段４０は、前記駆動軸５に固止した駆動側傘歯車４１と、この駆動側傘歯車４１に螺合する後述する伝達軸４５に固止した従動側傘歯車４２と、前記フレーム３に設けた軸受け４３と、前記従動側搬送コンベヤ２０のフレーム２４に設けた軸受け４４と、この軸受け４３、４４に架承した伝達軸４５と、この伝達軸４５に固止した伝達側傘歯車４６と、この伝達側傘歯車４６に螺合する従動側搬送コンベヤ２０のフレーム２４に差渡し設けた軸２５に固止した従動側傘歯車４７とで構成される。
【００３０】
この伝達手段４０による前記駆動側搬送コンベヤ１から従動側搬送コンベヤ２０への駆動（回転）の伝達を説明すると、駆動側搬送コンベヤ１に付設した駆動源１１の伝達機構１０の駆動を介して駆動軸５が回転する。この駆動軸５の回転により駆動側傘歯車４１が回転すると、この回転は駆動側傘歯車４１に螺合する従動側傘歯車４２に伝達される。この従動側傘歯車４２の回転は、そのまま伝達軸４５に伝達されることから、この伝達軸４５に固止した伝達側傘歯車４６が回転する。そして、この伝達側傘歯車４６の回転は、この伝達側傘歯車４６に螺合する従動側傘歯車４７に伝達される。この従動側傘歯車４７の回転で、従動側搬送コンベヤ２０のフレーム２４に差渡し設けた軸２５が回転し、この軸２５に固止したスプロケット２７、２８が回転する。そして、このスプロケット２７、２８が回転することにより、チェーンコンベヤ２９、３０が所定のスピードで回転駆動する。このチェーンコンベヤ２９、３０の回転により、当該従動側搬送コンベヤ２０の駆動が行われる。
【００３１】
図中５０は当該従動側搬送コンベヤ２０の反転時に、ワーク又は被処理物（図示せず）を支持する支持腕で、この支持腕５０はフレーム２４に設けた支持部材５１に設けられている。また５２はワーク又は被処理物を掴むハンド手段を示す。
【図面の簡単な説明】
【００３２】
【図１】本発明を装置に組込んだ要部を示す側面図
【図２】本発明を装置に組込んだ要部を示す平面図
【図３】本発明を装置に組込んだ要部を示す正面図
【図４】本発明の拡大側面図
【図５】本発明の拡大平面図
【図６】本発明に採用するトップローラ付きのチェーンを示した拡大斜視図
【符号の説明】
【００３３】
１            駆動側搬送コンベヤ
２            ベースフレーム
２００        収容箱体
２００ａ      収容箱体
２０１        受け皿
３            フレーム
４            軸
５            駆動軸
６            スプロケット
７            スプロケット
８            チェーンコンベヤ
９            チェーンコンベヤ
１０          伝達機構
１１          駆動源
２０          従動側搬送コンベヤ
２１          軸受け台
２２          軸受け
２３          軸
２４          フレーム
２５          軸
２６          軸
２７          スプロケット
２８          スプロケット
２９          チェーンコンベヤ
３０          チェーンコンベヤ
３１          従動側平歯車
３２          駆動側歯車
３３          シリンダー
３４          ピストンロッド
４０          伝達手段
４１          駆動側傘歯車
４２          従動側傘歯車
４３          軸受け
４４          軸受け
４５          伝達軸
４６          伝達側傘歯車
４７          従動側傘歯車
５０          支持腕
５１          支持部材
５２          ハンド手段
Ａ            洗浄機
【図１】
2005263337.tif 000003
【図２】
2005263337.tif 000004
【図３】
2005263337.tif 000005
【図４】
2005263337.tif 000006
【図５】
2005263337.tif 000007
【図６】
2005263337.tif 000008